(57)【要約】【課題】  キャッピング操作が容易で、注出口にキャップを装着した状態で内容物を加熱滅菌してもキャップ内に水が全く残留せず、シール材除去後密封性を確保しつつ注出口にキャップやアダプター等を簡易に素速く着脱することが出来る注出口組品を提供する。【解決手段】  容器の注出口と、これにネジ装着可能なスカート部下端にタンパーエビデント機構を有し注出口に打栓嵌合するキャップとを備え、注出口は注出筒の注出端にシール材を貼着しタンパーエビデント機構の抜け及び回転規制部材と協同する規制部材を有してなり、キャップはこれの雌ネジとタンパーエビデント機構とが雌ネジのねじ込み長さより離れ注出筒に嵌合するシール部を有し、注出口にキャップを打栓嵌合した際ネジ装着せず、タンパーエビデント機構の離間後、注出口にキャップをネジ装着出来、前記シール材を剥離した後は注出筒内にシール部を嵌合する容器注出口組品。【選択図】  図４
2006248562.tif 000002
【特許請求の範囲】
【請求項１】
容器の注出口と、該注出口にネジ装着可能でスカート部下端にタンパーエビデント機構
を有し前記注出口に打栓嵌合するキャップとを備え、前記注出口はその注出筒の注出端に
シール材を貼着し前記タンパーエビデント機構の抜け及び回転規制部材と協同する規制部
材を有してなり、前記キャップはこれの雌ネジと前記タンパーエビデント機構とが前記雌
ネジのねじ込み長さより離れていると共に前記注出口の注出筒に嵌合するシール部を有し
てなり、前記注出口に前記キャップを打栓嵌合した際互いの止め部材によりネジ装着せず
、前記キャップを開栓して少なくとも前記タンパーエビデント機構を切り離した後、前記
注出口に前記キャップをネジ装着出来、前記シール材を剥離した後は前記注出筒に前記シ
ール部を嵌合出来るようにしたことを特徴とする容器注出口組品。
【請求項２】
前記止め部材は、前記注出口の前記注出筒の外周面に螺刻した雄ネジと、前記キャップ
の前記スカート部の内周面に螺刻した雌ネジと、である請求項１記載の容器注出口組品。
【請求項３】
タンパーエビデント機構の脆弱部が閉栓方向への係止部を有し、キャップをネジの開栓
方向へ回転または引き上げた場合のみ脆弱部が破断する、請求項１または２記載の容器注
出口組品。
【請求項４】
前記注出口の前記注出筒の外周面に螺刻した雄ネジに水抜きスリットを設けた請求項１
ないし３のいずれか１項記載の容器注出口組品。
【請求項５】
前記キャップに回転用羽根を設けた請求項１ないし４のいずれか１項記載の容器注出口
組品。
【請求項６】
前記注出口の雄ネジ及び前記キャップの雌ネジは２条ネジ以上である請求項１ないし５
のいずれか１項記載の容器注出口組品。
【請求項７】
前記キャップ内面に前記注出筒の注出端に沿う環状シール部を設けた請求項１ないし６
のいずれか１項記載の容器注出口組品。
【請求項８】
前記容器はパウチまたはボトルである請求項１ないし７のいずれか１項記載の容器注出
口組品。
【発明の詳細な説明】
【技術分野】
【０００１】
本発明は、パウチやボトルなどの容器の注出口組品に関するもので、より詳しくは、注
出口とこれにネジ装着出来、スカート部下端にタンパーエビデント機構を有し打栓嵌合す
るキャップとを備え、注出口にキャップを打栓嵌合した際互いの止め部材によりネジ装着
出せず、キャップを開栓してタンパーエビデント機構を切り離した後、注出口にキャップ
をネジ装着出来、且つ注出筒内に嵌合出来るようにした容器注出口組品に関する。
【背景技術】
【０００２】
容器注出口組品は、容器の注出口とキャップからなり、例えば袋状容器においては、そ
の注出口を密封状態で取り付けるもので、パウチ等内に充填した内容物として液状物等を
加熱滅菌した後、パウチ等内から液状物等を取り出すためのものである。このような注出
口組品として下記に示すような技術が知られている。
【０００３】
【特許文献１】特開２００２−１０４４５３号公報
【特許文献２】特開２００４−２２４３５５号公報
【特許文献３】特開２０００−２０３６０６号公報
【０００４】
特許文献１の注出口組品５０は、図９、１０に示すように、パウチの側部に溶着する取
付基部５１と、この取付基部５１から外方に向かって延び外周面にネジ山５２を有する注
出筒５３と、この注出筒５３の注出端に溶着するシール材５４と、注出筒５３のネジ山５
２にネジ装着するキャップ５５と、このキャップ５５の天板内面に設けて注出筒５３の注
出端に液密に当接する環状シール部５６と、を備えてなるものである。そして、このスパ
ウト５０の構造によれば、注出筒５３の注出端にシール材５４を溶着し、且つ、この注出
筒５３にキャップ５５をネジ装着する二重のシール構造とし、その上さらに、シール材５
４をキャップ５５の天板に設けた環状シール部５６により押さえ付けている。したがって
、シール材５４の溶着をそれほど強くする必要がなく、注出筒５３の注出端からシール材
５４を容易に剥がせて利便性が高まり、また、環状シール部５６によりシール材５４上に
加熱滅菌に由来する水の残留がなく、さらに、スパウトの注出筒５３にキャップ５５をネ
ジ装着することでリシールが可能となる。
【０００５】
特許文献２の注出口組品６０は、図１１に示すように、ネジ山６１を設けた注出筒６２
を有する注出口６３を容器に固着し、注出筒６２の注出端６４をシール材６５で封止し、
注出筒６２にキャップ６６を螺着してなり、注出筒６２の注出端６４の外面にシール材６
５の外周縁部を受ける段部６７を設け、キャップ６６の天板６８の内面に注出筒６２の注
出端６４を封止するシール材６５を押圧して密着し且つシール材６５剥離後の注出筒６２
の注出端６４を封止するドーム状突部６９を設けたものである。そして、注出筒６２にキ
ャップ６６を螺着すると、ドーム状突部６９によりシール材６５の全面をほぼ均一に押圧
して、シール材６５を破損することなく密着出来、注出筒６２の注出端６４を再封止する
ときの密封性も確保出来る。
【０００６】
特許文献３の注出口組品７０は、図１２に示すように、雄ネジ７１を設けた注出筒７２
を有し容器に固着する注出口７３と、この注出口７３の雄ネジ７１に対応する雌ネジ７４
を有し、注出口７３にネジ装着するキャップ７５とを備え、キャップ７５はその下端にタ
ンパーエビデント機構７６を有し、注出筒７２の注出端７７にシール材７８を貼着し、キ
ャップ７５の天板７９に注出端７７が進入可能な空間８０を形成したものである。そして
、シール材７８を損傷しないように注出口７３の注出筒７２にキャップ７５を浅くネジ装
着し密着出来、タンパーエビデント機構７６を切り離しシール材７８を剥した後は、キャ
ップ７５の空間８０内に注出筒７２の注出端７７を進入させ得るから、注出筒７２にキャ
ップ７５を深くネジ装着出来て、再封止するときの密封性も確保出来る。
【発明の開示】
【発明が解決しようとする課題】
【０００７】
ところが、特許文献１の注出口組品５０は、注出筒５３からシール材５４を容易に除去
することが出来、かつシール材５４上に水の残留がない点では利便性があるが、密封性を
高めるためには、注出筒５３に対するキャップ５５のネジ込み量を多くしなければならず
、同様に、注出筒５３にアダプター等をネジ装着する際も、密封性をそれほど必要としな
いのにネジ込み量を多くしないものであり、ネジ装着の点で煩わしさがある。
【０００８】
また、特許文献２の注出口組品６０は、シール材６５の存在時、ドーム状突部６９によ
りシール材６５上に空間を生じさせず水の残留を無くし、シール材６５除去後はドーム状
突部６９が注出端６４に当てることで、再封止時の密封性を確保する構成になっているた
め、密封性が不十分であり、シール材６５上に水が残留する懸念があり、再封止時の密封
性も充分なものとは言えない。さらに、このドーム状突部６９をキャップ６６の天板６８
に設けているため、天板６８が肉厚となり成形性が悪くなって、材料及び工数共に上昇し
コストアップの要因となる。
【０００９】
さらに、特許文献３の注出口組品７０は、シール材７８を損傷しないように注出筒７２
にキャップ７５を浅くネジ装着して密封させるため、キャッピング操作が煩わしく、さら
に、シール材７８面とキャップ７５の天板７９面との密封も不確実となるため水の残留を
招き、さらに、シール材７８除去後の再封止時、キャップ７５のネジ込み量が多くなりす
ぎて、ネジ装着が煩わしくなるという問題がある。
【００１０】
そこで、本発明の目的は、キャッピング操作が容易で、注出口にキャップを装着した状
態で注出口に取り付けた容器の内容物を加熱滅菌しても、シール材とキャップとの間に水
が残留せず、さらに、シール材除去後、密封性を充分に確保しつつ、注出口にキャップや
アダプター等を簡易に素速く着脱することが出来る注出口組品を提供することにある。
【課題を解決するための手段】
【００１１】
本発明は、上記目的を達成するために提案されたものであって、下記の構成からなるこ
とを特徴とするものである。
すなわち、本発明によれば、容器の注出口と、該注出口にネジ装着可能でスカート部下
端にタンパーエビデント機構を有し前記注出口に打栓嵌合するキャップとを備え、前記注
出口はその注出筒の注出端にシール材を貼着し前記タンパーエビデント機構の抜け及び回
転規制部材と協同する規制部材を有してなり、前記キャップはこれの雌ネジと前記タンパ
ーエビデント機構とが前記雌ネジのねじ込み長さより離れていると共に前記注出口の注出
筒に嵌合するシール部を有してなり、前記注出口に前記キャップを打栓嵌合した際互いの
止め部材によりネジ装着せず、前記キャップを開栓して少なくとも前記タンパーエビデン
ト機構を切り離した後、前記注出口に前記キャップをネジ装着出来、前記シール材を剥離
した後は前記注出筒に前記シール部を嵌合出来るようにしたことを特徴とする容器注出口
組品が提供される。
【００１２】
また、本発明によれば、前記止め部材は、前記注出口の前記注出筒の外周面に螺刻した
雄ネジと、前記キャップの前記スカート部の内周面に螺刻した雌ネジと、である上記容器
注出口組品が提供される。
【００１３】
また、本発明によれば、タンパーエビデント機構の脆弱部が閉栓方向への係止部を有し
、キャップをネジの開栓方向へ回転または引き上げた場合のみ脆弱部が破断する上記容器
注出口組品が提供される。
【００１４】
また、本発明によれば、前記注出口の前記注出筒の外周面に螺刻した雄ネジに水抜きス
リットを設けた上記容器注出口組品が提供される。
【００１５】
また、本発明によれば、前記キャップに回転用羽根を設けた上記容器注出口組品が提供
される。
【００１６】
また、本発明によれば、前記注出口の雄ネジ及び前記キャップの雌ネジは２条ネジ以上
である上記容器注出口組品が提供される。
【００１７】
また、本発明によれば、前記キャップ内面に前記注出筒の注出端に沿う環状シール部を
設けた上記容器注出口組品が提供される。
【００１８】
また、本発明によれば、前記容器はパウチまたはボトルである上記容器注出口組品が提
供される。
【発明の効果】
【００１９】
本発明の容器注出口組品は、注出筒の注出端にシール材を貼着した後、注出口にキャッ
プを互いのネジが当接するまで打栓嵌合し、その状態で容器の内容物を加熱滅菌する際、
注出口とキャップとは密封していないためその部分に水が浸入するが、その水はあとで抜
けて残留しないように構成されている。また、キャップを開栓するとタンパーエビデント
機構が落下して、不正開封の有無を察知し、注出筒の注出端からシール材を除去すれば、
注出筒にキャップをネジ装着出来、その際注出筒にシール部が嵌合する。
したがって、キャッピング操作が容易でありその装置構成も簡易に出来、注出口にキャ
ップをネジ装着した状態で注出口に取り付けた容器の内容物を加熱滅菌しても、シール材
とキャップとの間に水が残留せず、さらに、シール材除去後、密封性を充分に確保しつつ
、注出口にキャップをネジ着脱することが出来る効果がある。
【００２０】
また、注出筒に螺刻した雄ネジとキャップのスカート部に螺刻した雌ネジとで止め部材
を構成しているから、打栓嵌合時に注出口とキャップはネジ装着しない。これによって、
上記効果に加えて、特に止め部材を設ける必要がなく、その分製作が容易となる。
【００２１】
また、タンパーエビデント機構の脆弱部が閉栓方向への係止部を有し、キャップをネジ
の開栓方向へ回転または引き上げた場合のみ脆弱部が破断するようにした時は、閉栓方向
に回そうとしても回転が阻止され、脆弱部が破断されるのを防止するため、正しく開栓方
向に回した時だけ脆弱部が破断する。
【００２２】
また、加熱滅菌する際、注出口とキャップとの間に浸入した水は、注出筒の外周面に螺
刻した雄ネジに設けた水抜きスリットにより抜ける用になっているため、注出口とキャッ
プとの間に浸入した水は速やかに抜けてキャップ内に残留することがない。
【００２３】
また、回転用羽根によりキャップを回転させれば、注出口にキャップを容易且つ速やか
にネジ着脱できるという効果が得られる。
【００２４】
また、注出口からキャップを２条ネジ以上によりネジ着脱するようにすれば、注出口に
キャップを速やかにネジ着脱できるという効果が得られる。
【００２５】
また、注出口にキャップをネジ装着した際、注出筒の注出端に環状シール部が当接する
ことにより密封するようにすれば、注出口とキャップとの密封性が一層高まる。
【００２６】
また、本発明の注出口をパウチに付設すれば、パウチ内容物が注出筒を通じて外部に出
るに伴いパウチも縮小するため、嵩張らずに使用済みのパウチの処分が容易となる。
【発明を実施するための最良の形態】
【００２７】
以下に、図面を参照して本発明を実施するための最良の形態を説明する。
【００２８】
図１は、本発明のキャップの外周に回転用羽根を有さない注出口組品をパウチに取り付
けた状態の正面図、図２は、実施例１の注出口組品の注出口の半裁縦断面図、図３（ａ）
は、実施例１の注出口組品のキャップの半裁縦断面図、同じく（ｂ）は、その側面図、図
４は、その注出口組品の半裁縦断面図である。
【実施例１】
【００２９】
本発明の注出口組品は、パウチやボトルなどの容器に組み付けられるが、一例としてパ
ウチに適用した形態について説明する。
注出口組品１は、容器であるパウチ２の側部に溶着されて注出口組品付パウチ３を形成
している。前記注出口組品１は、パウチ２に取り付ける注出口４と、この注出口４にネジ
装着出来ると共にスカート部５下端にタンパーエビデント機構６を有し注出口４に打栓嵌
合するキャップ７とを備え、注出口４はその注出筒８の注出端８ａにシール材９を貼着し
タンパーエビデント機構６の抜け及び回転規制部材１０と協同するフランジ部３４と規制
部材１１を有している。
【００３０】
キャップ７はこれの雌ネジ１２とタンパーエビデント機構６とが雌ネジ１２のねじ込み
長さＬより離れていると共に注出口４の注出筒８の内周面に嵌合するインナーリング１３
を有してなり、注出口４にキャップ７を打栓嵌合した際互いの止め部材１４によりネジ装
着せず、キャップ７を開栓して少なくともタンパーエビデント機構６を切り離した後、注
出口４にキャップ７をネジ装着出来、且つ、シール材９を剥離した後は注出筒８内にイン
ナーリング１３を嵌合出来るようにしている。
【００３１】
前記パウチ２は、レトルト食品などの内容物を収容するため、ガス並びに液に対してバ
リアー性があり、さらに、加熱滅菌に耐えうる耐熱性を備えた材料にて構成されている。
そして、パウチ２の内容物は、チューブを通して生体の消化器官に直接投与される経腸栄
養剤等である。なお、この実施例１では容器としてパウチを用いた例を示しているが、ボ
トル等の他の形式の容器であっても良く、さらに、内容物も栄養剤に限定されず、レトル
ト処理することに適合性があるものであればよい。また、前記注出口４は、パウチ２の側
部に取り付けるための取付基部２０と、この取付基部２０に直立している前記注出筒８と
からなり、この取付基部２０はパウチ２の側部に溶着している。
【００３２】
この注出筒８は、その外周面下部に前記抜けおよび回転規制部材１０と協同して前記タ
ンパーエビデント機構６を規制するフランジ部３４とリブ状の前記規制部材１１とを有し
、さらに、この外周面上部に前記キャップ７の雌ネジ１２に沿う雄ネジ２１を螺刻してい
る。これら注出筒８の雄ネジ２１とキャップ７の雌ネジ１２とは、のちに詳述するように
、加熱滅菌する際の密封性を要求されないから、装着容易性を主体的に考慮して、少なく
ともネジ山が２条ある２条ネジ以上が採用されることが好ましく、その上限は特に限定が
ないが４条ネジ程度である。
【００３３】
すなわち、ネジ山の条数が少ないものは、ネジ山のねじ込み角度が低く、ねじ込み量を
多くしないとネジ装着出来ないが、その反面、密封性が高く低トルクでも高密封性を得る
ことができ、緩みにくい特性がある。これに対して、ネジ山の条数が多いものは、ネジ山
のねじ込み角度が高く、わずかなねじ込み量でネジ装着出来る特性があって操作性が良い
反面、密封性が低く高い密封性を得るには高トルクを必要とする。さらに、注出筒８の雄
ネジ２１には水抜きスリット２１ａが設けられて、上記加熱滅菌の際浸入した水を抜け易
くしている。
【００３４】
また、前記注出筒８の前記注出端８ａには、図４に示すように、前記シール材９が貼ら
れ密封される。このシール材９は、パウチ２内に前記栄養剤を収容した後、加熱滅菌する
がその際注出端８ａからの物質の出入りを防ぎ、さらに輸送、保管中の異物侵入を防ぐた
めのものである。なお、このシール材９は剥がし片９ａを有している。
【００３５】
前記キャップ７は、キャップ本体２２と、これのスカート部５下端に設けた前記タンパ
ーエビデント機構６とを有している。キャップ本体２２は、上記スカート部５と天板２３
とからなり、これらに回転用羽根２４を設けている。スカート部５には、既述のとおり、
注出筒８の雄ネジ２１に対応した雌ネジ１２が螺刻されている。これは開栓後に注出筒８
にネジ装着されるためのものであり、回転用羽根２４を有することによりネジ装着及び脱
着が極めて容易となる。なお、注出筒の口径が小さい場合はキャップの外周に回転用羽根
を設けるのが特に好適であるが、ボトルのように口径の大きい容器に適用した時は、キャ
ップのスカート部外周にナールのような公知のすべり止め構造を有するだけで良い。
【００３６】
上記天板２３は、その内面に注出筒８の内周面に嵌合するインナーリング１３を有し、
さらに、その外側に注出筒８の注出端８ａに沿う環状シール部２５を設けている。したが
って、注出口４の注出筒８にキャップ７をネジ装着すると、注出筒８の内周面にインナー
リング１３が嵌合すると共に、環状シール部２５が注出筒８の注出端８ａを押さえ付ける
ことになり、これらが相俟って密封度がさらに高まることになる。
【００３７】
前記タンパーエビデント機構６は、フラップ式であり、バンドリング３０と、このバン
ドリング３０の内周面に一定間隔３１をおいて複数設けたフラップ３２と、前記スカート
部５下端とバンドリング３０とを繋ぎ、所定の力により破断する脆弱部３３とで構成され
ている。
上記タンパーエビデント機構６は、図３（ｂ）に示すように、脆弱部３３が閉栓方向へ
のカム機構３５からなる係止部を有し、キャップ７をネジの開栓方向へ回転または引き上
げた場合のみ脆弱部３３が破断するようにすることが好ましい。このカム機構３５が係止
部として機能して、閉栓方向に回そうとしても、カムの垂直面がぶつかって回転が阻止さ
れ、脆弱部３３は破断されないが、正しく開栓方向に回すと、カムの傾斜面に乗り上げて
脆弱部の破断を促進するため、正しく開栓方向に回した時だけ脆弱部が破断する。
【００３８】
この際、カム機構３５がないと、脆弱部３３はキャップを閉栓方向に回しても、開栓方
向に回してもどちらでも破断することになり、間違ってキャップを閉栓方向に回して脆弱
部が破断すると、ネジ部が咬み合ってキャップがねじ込まれてしまい、シール材がキャッ
プのインナーリングに喰い破られる虞がある。
このタンパーエビデント機構６を有したキャップ７は、前記注出口４の注出筒８に、フ
ラップ３２の一定間隔３１とリブ状の規制部材１１の位置を合わせて打栓嵌合される。す
なわち、注出筒８の注出端８ａに、キャップ７のタンパーエビデント機構６の下端をあて
がい、注出筒８の雄ネジ２１の上端にキャップ７の雌ネジ１２の下端が当たる位置まで、
打ち込むことで打栓する。
【００３９】
その結果、複数のフラップ３２が注出筒８の外周面に設けたフランジ３４を乗り越し、
且つ一定間隔３１をおいて設けてある複数のフラップ３２間に前記リブ状の規制部材１１
を入り込ませる。したがって、複数のフラップ３２とこれらの一定間隔３１とで、前記タ
ンパーエビデント機構６の抜け及び回転規制部材１０を構成することになり、これによっ
て、以後、注出筒８からキャップ７は抜けることも、回転することもない。なお、上記の
ように、ネジ装着でなく打栓嵌合であるため、その装置が簡易となり、特に回転用羽根２
４を有する場合は、キャップの方向を揃えることが容易になり、打栓時の回転位置合わせ
が簡単になり、梱包の際不揃いとなることがないなどのメリットがある。
【００４０】
また、上述のキャップ７が注出筒８に打栓嵌合された状態は、注出筒８の雄ネジ２１の
上端にキャップ７の雌ネジ１２の下端が当接している状態なので、キャップ７の前記イン
ナーリング１３が注出筒８の注出端８ａの上方にあり、前記シール材９を破損することが
ない。さらに、キャップ７の雌ネジ１２とタンパーエビデント機構６とが雌ネジ１２のね
じ込み長さＬより離れているから、所定の力をかけて脆弱部３３を破断してキャップ７を
開封した後、バンドリング３０は注出筒８に沿って降下し、キャップ７をねじ込めるだけ
の間隙を形成するので、キャップ７は注出筒８にネジ装着することが出来、上述のとおり
、シール材９を剥離した後は注出筒８の内周面にインナーリング１３が嵌合し、環状シー
ル部２５が注出筒８の注出端８ａを押さえ付け、密封度をさらに高めることが出来る。
【００４１】
図５はキャップ７を開封した後注出筒８にネジ装着するアダプター４０であり、このア
ダプター４０は、キャップ本体４１と、キャップ本体４１の天板４２に突設されたチュー
ブ継手４３とからなる。キャップ本体４１のスカート部４４には、前記注出筒８の雄ネジ
２１に沿う雌ネジ４５が螺刻され、注出筒８にアダプター４０がネジ装着される。天板４
２には、その内面に注出筒８の注出端８ａ内周に嵌合するインナーリング４６及びその外
側に注出筒８の注出端８ａに沿う環状シール部４７がそれぞれ設けられ、注出筒８にアダ
プター４０がネジ装着された際、栄養剤等の液状内容物が漏れないようになっている。な
お、チューブ継手４３には、カテーテルなどのチューブが接続され、生体の消化器官に栄
養剤が注入される。
【００４２】
次に、上記構成になる注出口組品１の使用方法を述べる。
まず、図４に示すように、注出口１の注出筒８の注出端８ａにシール材９を溶着などの
手段により貼り付け密封し、さらに、注出筒８にキャップ７をその回転用羽根２４の方向
を揃え梱包の際不揃いとならないように、注意して打栓嵌合する。その際、キャップ７の
雌ネジ１２が注出筒８の雄ネジ２１に当接しそれ以上嵌合せず、さらに、タンパーエビデ
ント機構６の複数のフラップ３２が注出筒８の外周面のフランジ３４を乗り越し、且つ複
数のフラップ３２間の一定間隔３１に注出筒８のリブ状の規制部材１１が入り込むので、
以後注出筒８からキャップ７は抜けることも、回転することもなくなる。この状態の注出
口組品１をパウチ２の側部に溶着し注出口組品付パウチ３を形成して、さらにパウチ２の
開口部から栄養剤を充填し、その開口部を閉じる。
【００４３】
次に、この栄養剤入りの注出口組品付パウチ３をレトルト（加圧滅菌用釜）に入れ加熱
滅菌する。この際、図４から明らかなとおり、注出口１とキャップ７とは密封していない
ので、水はキャップ７とシール材９の間に容易に浸入するが逆に排出しやすい。特に注出
筒８の雄ネジ２１に設けた水抜きスリット２１ａにより排出がスムーズであり、少なくと
も最終ユーザーに渡るまでには完全に水抜きされている。そして、この加熱滅菌済みの栄
養剤入りの注出口組品付パウチ３には、通常、図５のアダプター４０などの付属品を付け
れば最終製品となるが、パウチ３と付属品はそれぞれ独立した製品として流通させてもよ
い。なお、以上の工程は、注出筒のパウチへの溶着→内容物の注出口からの充填→シール
材の注出口への溶着→キャップと注出筒の打栓嵌合→レトルト殺菌、の順序で行ってもよ
い。
【００４４】
使用に際しては、図６のように、注出口４の注出筒８からキャップ７を外せば、キャッ
プ本体２２とタンパーエビデント機構６とを繋ぐ脆弱部３３が破断され、タンパーエビデ
ント機構６のバンドリング３０が落下するから、不正開封の有無を見分けることが出来る
。次いで、注出筒８の注出端８ａからシール材９を剥がせばパウチ３内の栄養剤を取り出
せる状態となる。通常、注出筒８にアダプター４０をネジ装着することになるが、注出口
８及びキャップ７の両ネジ２１及び１２とも２条ネジ以上であり回転用羽根２４があるか
ら、容易にネジ装着でき、その上、インナーリング４６及びその外側の環状シール部４７
が注出筒８内周面及び注出端８ａに密着するため液漏れを完全に防ぐことができる。
【００４５】
そして、図５のアダプター４０のチューブ継手４３にカテーテルなどのチューブを接続
し、注出筒８を下にして栄養剤入りの注出口組品付パウチ３を吊り金具などにつり吊り下
げれば、生体の消化器官に栄養剤を直接注入することが出来る。また、栄養剤注入の必要
性が無くなった場合は、吊り金具から注出口組品付パウチ３を外し、注出筒８からアダプ
ター４０を容易に外せて、図７に示すように、さらにキャップ７を注出筒８にネジ装着す
れば、栄養剤をこぼすことが無くなる。以後、注出口組品付パウチ３内の栄養剤を再利用
なり、そのまま廃棄することも出来る。
本発明の注出口組品をボトルに適用した場合の側面図を図８に示した。この例では、注
出口とボトルは一体に成形することが出来る。
【産業上の利用可能性】
【００４６】
本発明の注出口組品は、これを取り付けたパウチに収容した内容物をそのまま加熱滅菌
し、使用時に注出口にキャップは無論アダプターなどを着脱するよう操作が伴うような場
合に利用可能性が高く、特に、パウチの内容物が栄養剤などで、医療現場など使用される
ような場合に極めて利用可能性が高くなる。
また、ボトルなどパウチ以外の形態の容器でも、開口部をシール材で密封し、開封後は
キャップでリシールする使用形態の製品において利用可能性が高い。さらに、内容物も栄
養剤に限らず、飲料やスープ、ジャムその他の食品でも良く、湯殺菌、ボイル殺菌もしく
はレトルト殺菌を行う場合に特に利用可能性が高い。
【図面の簡単な説明】
【００４７】
【図１】本発明の注出口組品をパウチに取り付けた状態の正面図である。
【図２】本発明の実施例１に示した注出口組品の注出口の半裁縦断面図である。
【図３】本発明の実施例１に示した注出口組品のキャップの半裁縦断面（ａ）と、キャップの側面図（ｂ）である。
【図４】本発明の実施例１に示した注出口組品の半裁縦断面図である。
【図５】本発明の実施例１を示す注出口組品の注出口にネジ装着するアダプターの半裁縦断面図である。
【図６】本発明の実施例１に示した注出口組品の使用状態の半裁縦断面図である。
【図７】本発明の実施例１に示した注出口組品の使用状態の半裁縦断面図である。
【図８】本発明の注出口組品をボトルに適用した時の側面図である。
【図９】注出口組品の従来例を示す半裁縦断面図である。
【図１０】注出口組品の従来例を示す要部の縦断面図である。
【図１１】注出口組品の従来例を示す縦断面図である。
【図１２】注出口組品の他の従来例を示す縦断面図である。
【符号の説明】
【００４８】
１，５０，６０，７０          注出口組品
２                            容器（パウチ）
２ａ                          容器（ボトル）
３                            注出口組品付パウチ
４，６３，７３                注出口
５，４４                      スカート部
６，７６                      タンパーエビデント機構
７，５５，６６，７５          キャップ
８，５３，６２，７２          注出筒
８ａ，６４，７７              注出端
９，５４，６５，７８          シール材
９ａ                          剥がし片
１０                          抜け及び回転規制部材
１１                          規制部材
１２，４５，７４              雌ネジ
１３，４６                    インナーリング（シール部）
１４                          止め部材
２０，５１                    取付基部
２１，７１                    雄ネジ
２１ａ                        水抜きスリット
２２，４１                    キャップ本体
２３，４２，６８，７９        天板
２４                          回転用羽根
２５，４７，５６              環状シール部
３０                          バンドリング
３１                          一定間隔
３２                          フラップ
３３                          脆弱部
３４                          フランジ
３５                          カム機構                                      
４０                          アダプター
４３                          チューブ継手
５２，６１                    ネジ山
６７                          段差
６９                          ドーム状突起
８０                          空間
【図１】
2006248562.tif 000003
【図２】
2006248562.tif 000004
【図３】
2006248562.tif 000005
【図４】
2006248562.tif 000006
【図５】
2006248562.tif 000007
【図６】
2006248562.tif 000008
【図７】
2006248562.tif 000009
【図８】
2006248562.tif 000010
【図９】
2006248562.tif 000011
【図１０】
2006248562.tif 000012
【図１１】
2006248562.tif 000013
【図１２】
2006248562.tif 000014